【手続補正書】
【提出日】平成30年7月23日(2018.7.23)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を複数備え、
前記可変表示部を変動表示した後、前記可変表示部の変動表示を停止することで表示結果を導出し、複数の可変表示部の表示結果の組合せである表示結果組合せに応じて入賞が発生可能なスロットマシンにおいて、
前記複数の可変表示部のそれぞれに表示結果を導出させるために操作される複数の第１操作手段と、
前記第１操作手段とは異なり、かつ遊技を進行させるために操作される第２操作手段とを備え、
遊技用価値の付与を伴う表示結果組合せが導出されている場合に、表示結果組合せを導出するために最後に操作された前記第１操作手段への操作が維持されており、かつ前記第２操作手段への操作が解除されている状況では、当該第１操作手段への操作が解除されれば遊技用価値が付与され、
遊技用価値の付与を伴う表示結果組合せが導出されている場合に、表示結果組合せを導出するために最後に操作された前記第１操作手段への操作が維持されており、かつ前記第２操作手段への操作が維持されている状況では、当該第１操作手段への操作が解除されたとしても、当該第２操作手段への操作が維持されていれば遊技用価値が付与されず、
前記複数の第１導出操作手段の各々への操作を検出するためのポートと、前記第２操作手段への操作を検出するためのポートとは同じである、スロットマシン。
【手続補正２】
【補正対象書類名】明細書
【補正対象項目名】０００４
【補正方法】変更
【補正の内容】
【０００４】
特許文献１には，「従来のスロットマシンのストップボタンは、停止操作が行われたストップボタンが非押下状態になることで、次の停止操作が可能となるように構成されている。このため、例えばストップボタンが押下状態のままになる不具合（単に、不具合と称する場合がある）が生じると、以降の停止操作が不可能になる。このような状況下では、以降の停止操作が不可能になるため、遊技者が不具合を判断することができる場合がある」こと、「上記のような問題に鑑み、停止操作を受け付けたストップボタンが非押下状態に戻らなくても、以降の停止操作を可能とする構成」および、「入賞判定処理では、ストップボタンが全て非押下状態であることを判定（図１９のステップＳ１５０１）した後に、どの役に入賞したかの判定（図１９のステップＳ１５０７）が行われ、さらに、入賞判定結果を設定する処理（図１９のステップＳ１５０９）が実行され」、「入賞判定処理に続いて、メダル払出処理（メイン）が実行され」るスロットマシンが開示されている。
【手続補正３】
【補正対象書類名】明細書
【補正対象項目名】０００５
【補正方法】変更
【補正の内容】
【０００５】
【特許文献１】特開２０１４−１６１３８６号公報
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】変更
【補正の内容】
【０００７】
この発明は、かかる実情に鑑み考え出されたものである。
【手続補正６】
【補正対象書類名】明細書
【補正対象項目名】０００８
【補正方法】変更
【補正の内容】
【０００８】
各々が識別可能な複数種類の識別情報を変動表示可能な可変表示部を複数備え、
前記可変表示部を変動表示した後、前記可変表示部の変動表示を停止することで表示結果を導出し、複数の可変表示部の表示結果の組合せである表示結果組合せに応じて入賞が発生可能なスロットマシンにおいて、
前記複数の可変表示部のそれぞれに表示結果を導出させるために操作される複数の第１操作手段と、
前記第１操作手段とは異なり、かつ遊技を進行させるために操作される第２操作手段とを備え、
遊技用価値の付与を伴う表示結果組合せが導出されている場合に、表示結果組合せを導出するために最後に操作された前記第１操作手段への操作が維持されており、かつ前記第２操作手段への操作が解除されている状況では、当該第１操作手段への操作が解除されれば遊技用価値が付与され、
遊技用価値の付与を伴う表示結果組合せが導出されている場合に、表示結果組合せを導出するために最後に操作された前記第１操作手段への操作が維持されており、かつ前記第２操作手段への操作が維持されている状況では、当該第１操作手段への操作が解除されたとしても、当該第２操作手段への操作が維持されていれば遊技用価値が付与されず、
前記複数の第１導出操作手段の各々への操作を検出するためのポートと、前記第２操作手段への操作を検出するためのポートとは同じである。
なお、以下の構成を備えるスロットマシンであってもよい。
（１）各々が識別可能な複数種類の識別情報を変動表示可能な可変表示部を複数備え、
前記可変表示部を変動表示した後、前記可変表示部の変動表示を停止することで表示結果を導出し、複数の可変表示部の表示結果の組合せである表示結果組合せに応じて入賞が発生可能なスロットマシン（たとえば、スロットマシン１）において、
前記複数の可変表示部のそれぞれに表示結果を導出させるために操作される複数の導出操作手段（たとえば、ストップスイッチ８Ｌ，８Ｃ，８Ｒ）と、
前記複数の導出操作手段の操作に応じて表示結果組合せを導出させる制御を行う導出制御手段（たとえば、停止制御を行うメイン制御部４１）と、
前記導出操作手段の操作態様を特定可能な特定情報（たとえば、ナビ番号）を含む情報を表示する情報表示手段（たとえば、遊技補助表示器１２）と、
前記導出制御手段が導出させた表示結果組合せに応じて前記情報表示手段によって表示された前記特定情報を更新するための特定制御を行う特定制御手段（たとえば、遊技補助表示器更新処理を行うメイン制御部４１）とを備え、
前記導出制御手段は、前記複数の可変表示部の表示結果組合せを導出させるための前記導出操作手段への最後の操作が行われたときに、当該導出操作手段以外の導出操作手段への操作が維持された状態であるか否かに関わらず、前記導出操作手段への最後の操作に応じて表示結果組合せを導出させる制御を行い（たとえば、図２３に示すように、ｔ１において、右ストップスイッチ８Ｒが操作されたときに、左ストップスイッチ８Ｌおよび中ストップスイッチ８Ｃへの操作が維持されていても、右ストップスイッチ８Ｒを操作したことに基づく停止制御を行う）、
前記特定制御手段は、
前記導出操作手段への最後の操作が維持されているときには前記特定制御を行わない一方で、当該導出操作手段への最後の操作が解除されたときには前記特定制御を行うことが可能であり（たとえば、図２２に示すように、ストップスイッチに含まれる最後に操作されたストップスイッチへの操作が維持されているときは、入賞判定処理におけるＳ４３以降の遊技補助表示器更新処理が行なわれないが、ストップスイッチに含まれる最後に操作されたストップスイッチへの操作が解除されたときには遊技補助表示器更新処理が実行され得る）、
前記導出操作手段への最後の操作が解除されたとしても、当該最後の操作に対応する前記導出操作手段以外の遊技進行に係る操作手段のうち、一の操作手段（たとえば、スタートスイッチ７、最後に操作されたストップスイッチ以外のストップスイッチ）への操作が維持されているときには前記特定制御を行わない一方で、他の操作手段（たとえば、ＭＡＸＢＥＴスイッチ６）への操作が維持されているときには当該特定制御を行う（たとえば、図２３に示すように、ｔ２からｔ４において、右ストップスイッチ８Ｒへの操作が解除されたとしても、スタートスイッチ７、左ストップスイッチ８Ｌおよび右ストップスイッチ８Ｒへの操作が維持されているときは遊技補助表示器１２の表示は更新されないものの、ＭＡＸＢＥＴスイッチ６への操作が維持されていても遊技補助表示器１２の表示は更新される）。